(57)【特許請求の範囲】
【請求項１】
ビルに設置される昇降機および／または昇降機付帯設備を含む昇降機設備を接続するためのインタフェース装置と、前記インタフェース装置の出力信号に基づいて前記昇降機設備を制御および／または監視するための処理を行う処理装置と、
前記ビルに設置されるビル設備を接続するための他のインタフェース装置と、を備え、
前記処理装置が、前記他のインタフェース装置からの出力信号に基づいて前記ビル設備を制御および／または監視する昇降機及びビル設備の管理装置であって、
前記昇降機設備を制御および／または監視するためのプログラムと、前記ビル設備を制御および／または監視するためのプログラムと、連動制御を行うためのサービスプログラムと、を記憶するための記憶手段を備え、前記処理装置は前記各プログラムを用いて前記昇降機設備を制御および／または監視するための演算処理と前記ビル設備を制御および／または監視するための演算処理を行い、
さらに、配信装置を接続するための通信インタフェース装置を備え、
前記サービスプログラムが前記通信インタフェースを介して前記配信装置から配信され、
前記昇降機設備または前記ビル設備の接続を検出する設備監視部を備え、前記記憶手段の中から、接続および分離された設備について、それぞれ対応する前記サービスプログラムを起動および終了する昇降機及びビル設備の管理装置。
【請求項２】
昇降機および昇降機付帯設備を含む昇降機設備と、
前記昇降機設備を制御および／または監視する管理装置と、
を備え、
前記管理装置が、請求項１に記載される昇降機及びビル設備の管理装置である昇降機システム。
【請求項３】
請求項２において、さらに、管理装置から籠呼びボタン接点またはインジケータ等に繋がっているエレベータ用ネットワークを、ビル設備の制御および／または監視のために利用することが可能な昇降機システム。
【請求項４】
請求項２において、さらに、管理装置が機械室または昇降路または三方枠に設置される昇降機システム。
【発明の詳細な説明】
【０００１】
【発明の属する技術分野】
本発明は、ビル設備を制御および／または監視する機能を備える昇降機設備の管理装置、並びにそれを用いたビル設備の改修方法および昇降機システムに関する。
【０００２】
【従来の技術】
従来技術として例えば特開平７−１６０９７６号公報記載の技術がある。この従来技術では、ビル管理装置に、エレベータ制御盤インタフェースを備え、エレベータ制御盤とビル管理装置を接続することで、ビル管理装置に、ビル設備の監視制御機能以外に、エレベータの監視制御機能を持たせている。
【０００３】
図１９は、上記従来技術のブロック図である。
【０００４】
図１９において、１９００は、空調，電気，防災・防犯等の各種設備（エレベータは除く）、１９０１は、各種ビル設備１９００とデータの入出力を行う入出力部１９０２、及び上位のセンタ装置との通信を行う通信部１９０３からなるローカルコントロール装置で、入力したデータの変化、及び異常を検出してセンタ装置にデータを伝送する。１９０４は、入力したデータを管理して各種設備の監視を行うセンタ装置で、センタ側通信部１９０５，データ管理部１９０６及びデータ表示部１９０７からなる。１９０８は、エレベータに接続され、エレベータの位置を検知するエレベータ制御盤であり、エレベータの動きに合わせて、その位置をランプによって表示するものである。１９０２ａは、各階におけるエレベータの籠の存否の情報を入力するエレベータ設備入出力部である。１９０９は、入力した籠の存否の情報をその存在する階を示す単一の数値データに変換するデータ変換部、１９１０は変換された数値データが予め設定された条件を満足するか否かを判断するデータ制御部で、満足する場合に、そのデータをセンタ装置に送信するべく通信部１９０３に送る。上記のようなビル管理装置は、複数のローカルコントロール装置と、センタ装置から構成される。また、ローカルコントロール装置とセンタ装置は異なるシステムメーカから構成されることがある。
【０００５】
次に、動作について説明する。
【０００６】
ビル内の各種設備１９００から、それぞれの運転状態やアナログ情報をローカルコントロール装置１９０１の入出力部１９０２に入力する。ローカルコントロール装置１９０１では、入力データの状態の変化を検出して、通信部１９０３から、センタ装置１９０４のセンタ側通信部１９０５へデータを送信する。センタ１９０４では、送信されたデータが、データ管理部１９０６にセットされ、表示部１９０７に現在の各種設備の状態が表示される。また、各種データの管理を行い、規定値範囲外のデータや設備の異常／故障を検知した場合など、通知された状態等の条件により、該当する設備に対して最適な制御を行う。例えば、予め設定された信号が、所定の条件を満たしたときに、所定の機器をオン／オフさせる連動制御などがある。連動制御はセンタ装置１９０４が制御している場合と、自律分散制御により、イーサネットなどのＬＡＮ（ローカルエリアネットワーク）に接続されたローカルコントロール装置１９０１間で、データを相互通信し、ローカルコントロール装置１９０１に、上記連動制御等の制御機能を持たせるようにする場合がある。さらに、停電，地震，火災等の発生時には警報を発し、それぞれの管制運転のもとに制御を行う。
【０００７】
一方、エレベータの運転状態については、エレベータ制御盤１９０８が、一定周期で各階における籠の存否データを検出し、ローカルコントロール装置1901のエレベータ設備入出力部１９０２ａに入力する。入力したデータは、データ変換部１９０９で、籠が存在する階を示す単一の数値データに変換され、常時、それぞれの動きに合わせて、その位置を各階におけるエレベータ制御盤１９０８上にランプ点灯表示する。地震，停電，火災等の発生時には、例えば、停電ならば自家発電によって、ひとつひとつの籠を所定の階まで移動させたり、地震発生時ならば、すべての籠を地上階まで次々と降ろすなど、エレベータ制御盤１９０８が、それぞれの管制運転のもとにエレベータを制御する。
【０００８】
【発明が解決しようとする課題】
近年において、ビルを取り巻く環境は急激に変化しており、ビルにかかわる者からは、それぞれの立場に応じて、さまざまな要求が出されている。
【０００９】
上記の従来技術は、データ伝送量の増加抑制を目的に、エレベータ設備入出力部を備えたビル管理装置を提供しているが、ビル管理装置とエレベータ制御盤がそれぞれ必要なので、設置の際に現場作業が増加し、建設期間が長くなるため、ビルへの設置コストが増加する。
【００１０】
また、上記のような従来のビル管理装置では、設置時に接続されるビル内諸設備が、予め、決定されており、それ以外のビル内諸設備を接続し、監視制御するには、新しいビル内諸設備に対応したローカルコントロール装置毎の追加や取り替え、ローカルコントロール装置のプログラムを修正する等の作業が発生する。また、ビル管理装置が、複数のシステムメーカの装置から構成されている場合、メーカ毎の改修作業が必要となり、作業効率が極めて悪い。即ち、ビル設備の改修には、一般的に、高いコストがかかり、システムの再構築性，柔軟性を阻害する要因となっている。
【００１１】
また、ビル管理業界は、慢性的な人手不足、及び維持運用コストの低減要求に対し、ビル設備を一元的に集中管理することで、設備管理要員をできるだけ少なくすることが求められているが、これまで、エレベータをはじめとするビル設備のインタフェースの整合をとり、設備を集中管理することは容易ではなかった。
【００１２】
本発明の課題は、ビル管理に関わるコストの低減に配慮した、昇降機設備の管理装置およびそれを用いたビル設備の改修方法並びに昇降機システムを提供することにある。
【００１３】
【課題を解決するための手段】
上記課題を解決するため、昇降機および／またはその制御装置および／または昇降機付帯設備を含む昇降機設備の管理装置に、昇降機設備以外のビル諸設備の監視制御機能を付加することで、ビル建設時に、ビル諸設備を監視制御可能な能力を潜在させる。これにより、新たにビル諸設備の監視制御が必要になった場合、現場作業を少なく、建設期間を短縮すると共に、ビル管理装置設置コストを低下出来る。
【００１４】
特に、ビル設備の新設，増設，取り替えなどのような改修に伴い、ビルに既設されている昇降機施設を監視制御する目的で設置されている昇降機設備の管理装置に、ビル管理機能を新たに追加する場合には、ビル設備を接続するだけの作業となるため、大幅に設置コストを削減することが出来る。また、ビル設備が接続されると、必要な監視制御サービスプログラムを外部より取り込むことで、監視制御プログラムの自動編集が出来る。また、ビル諸設備の監視制御結果を、ビル内外の情報系ネットワークを通じ、パソコン，携帯電話等に、ホームページ形式で、状態を表示することが出来る。
【００１５】
本発明は、エレベータ，エスカレータのような乗客コンベアなどの各種昇降機を含む昇降機設備の管理装置に適用できる。なお、本発明による昇降機設備の管理装置を新設する目的は、昇降機設備の制御および／監視が主であっても良いし、ビル設備の制御および／または監視が主であっても良い。
【００１６】
【発明の実施の形態】
以下に本発明に係る実施例を図面を参照して説明する。
【００１７】
（実施例１）
図２に本発明を実施した昇降機設備の管理装置のハードウェア構成を示すブロック図を示す。
【００１８】
本発明を実施した昇降機設備の管理装置は中央処理装置０２００，記憶装置  ０２０１，設備系ネットワークインタフェース装置０２０２，情報系ネットワークインタフェース装置０２０３から構成され、それぞれが、バス０２０４により接続されている。中央処理装置０２００は、記憶装置０２０１に格納されたプログラムを実行する装置であり、適宜、記憶装置０２０１，設備系ネットワークインタフェース装置０２０２，情報系ネットワークインタフェース装置０２０３を制御するものである。記憶装置０２０１はＲＯＭ，ＲＡＭ等のメモリ装置であり、本発明を実施した昇降機設備の管理装置０１００の機能を果たす計算機プログラムや、その実行状態などを記憶しておくものである。設備系ネットワークインタフェース装置０２０２は、設備系ネットワーク０２０８を介し、エレベータと接続するためのエレベータ通信インタフェース装置，エレベータインタフォンと接続するためのエレベータインタフォンインタフェース装置、又は、監視カメラと接続するための監視カメラインタフェース装置、又は、ビル諸設備などの制御対象２０５と接続するためのビル設備系ネットワークインタフェース装置等であり、例えば、ビル設備機器を結ぶフィールドネットワークのLONWORKS等によりプロトコル処理を行うＬＯＮコントローラ、又は、電灯線モデム、又は、無線機等である。情報系ネットワークインタフェース装置０２０３は、公衆回線，イーサネット等の情報系ネットワーク０２０９を介し、ビル群管理装置，モバイルＰＣ，ＰＨＳ，携帯電話等のマンマシン装置０２０６やサービスプログラム配信サーバ０２０７と接続するための広域ネットワークインタフェース装置、又は、ビル内外情報系ネットワークインタフェース装置である。例えば、広域ネットワークインタフェース装置とは、一般回線への接続を行うモデム装置や、ＰＨＳ回線への無線接続を行うＰＨＳモデム装置であり、ビル内外情報系ネットワークインタフェース装置とは、イーサネットコントローラである。
【００１９】
図１は、本発明を実施した昇降機設備の管理装置を含めた昇降機システムの全体構成を示すブロック図である。
【００２０】
昇降機システムは本発明を実施した昇降機設備の管理装置０１００（以下、「管理装置０１０１」と略記する）、１台以上のエレベータＥＶ１，ＥＶ２，…，ＥＶｎ、１台以上のエレベータ付帯設備Ｅ１，Ｅ２,…,Ｅｎ、１台以上のビル諸設備Ｂ１，Ｂ２,…,Ｂｍ、ビル内ネットワーク０１０７，情報系ＰＣ０１０５，ダイヤルアップルータ０１０６，広域ネットワーク０１０４，ビル群管理センタ０１０２，ＰＨＳ、又は携帯電話０１０３から構成される。
【００２１】
管理装置０１００は、情報系ＰＣ０１０５，ビル群管理センタ０１０２からの指令や、管理装置０１００が、予め備える管制運転機能に基づき、エレベータ  ＥＶ１，ＥＶ２，…，ＥＶｎ、エレベータ付帯設備Ｅ１，Ｅ２，…，Ｅｎ、ビル諸設備Ｂ１，Ｂ２，…，Ｂｍを制御するコントローラである。管理装置０１００は、設備系ネットワークインタフェース装置０２０２として、エレベータ通信インタフェース装置０１１２，エレベータ付帯設備インタフェース装置０１１３，ビル設備系ネットワークインタフェース装置０１１４等を備え、情報系ネットワークインタフェース装置０２０３として、ビル内ネットワークインタフェース装置０１１１，広域ネットワークインタフェース装置０１１０，ＰＨＳモデム109等を備える。設備系ネットワーク０２０８では、リアルタイム性を維持するため、制御応答時間の保証が重要である。エレベータＥＶ１，ＥＶ２，…，ＥＶｎは、管理装置０１００により制御され、他メーカのエレベータの場合、変換インタフェースを介し、管理装置０１００に接続されることがある。エレベータ付帯設備Ｅ１，Ｅ２，…，Ｅｎは、監視カメラ，エレベータ籠内インタフォン等の昇降機設備として付帯する設備である。ビル諸設備Ｂ１，Ｂ２，…，Ｂｍは、空調制御装置，電力管理装置，照明制御装置，防災監視装置等のビル管理用の設備である。ビル内ネットワーク０１０７は、ビル内に設置されたネットワークで、イーサネット等である。情報系ＰＣ０１０５は、自ビル内の監視、及び制御を行うための装置である。ダイヤルアップルータ０１０６は、ビル内ネットワーク0107を介して、広域ネットワーク０１０４とダイヤルアップ接続を行うための装置である。広域ネットワーク０１０４は、ビル外部と情報をやり取りするネットワークであり、一般電話回線，携帯電話回線，ＰＨＳ電話回線，インタネット，CATVネットワーク，衛星通信回線などである。ビル群管理センタ０１０２は、広域ネットワーク０１０４を介して、ビル群の監視、及び制御を行うための装置である。ここで、情報系ＰＣ０１０５とはエレベータＥＶ１，ＥＶ２，…，ＥＶｎ、及びエレベータ付帯設備Ｅ１，Ｅ２，…，Ｅｎ、及びビル設備Ｂ１，Ｂ２，…，Ｂｍの監視、及び制御が行えるマンマシン装置であり、例えば、監視、及び制御情報をホームページ形式で表示し、入出力を行う機能を持つ。ビル群管理センタ０１０２とは、ビル群を統合的に監視、及び制御し、サービスプログラム部0407の配信を行う装置である。
【００２２】
ビル０１０１内に設置されている管理装置０１００のＰＨＳモデム０１０９，又は、広域ネットワークインタフェース装置０１１０には、広域ネットワーク０１０４を介し、ビル群管理センタ０１０２，ＰＨＳ、及び携帯電話０１０３と接続されている。広域ネットワーク０１０４に接続される管理装置０１００，ビル群管理センタ０１０２，ＰＨＳ、及び携帯電話０１０３は、それぞれ複数台でもよい。管理装置０１００のビル内ネットワークインタフェース装置０１１１には、ビル内ネットワーク０１０７を介し、情報系ＰＣ０１０５、又は、ダイヤルアップルータ０１０６が接続され、エレベータ通信インタフェース装置０１１２には、１台以上のエレベータＥＶ１，ＥＶ２，…，ＥＶｎが接続され、エレベータ付帯設備インタフェース装置０１１３には、１台以上のエレベータ付帯設備Ｅ１，Ｅ２，…，Ｅｎが接続され、ビル設備系ネットワークインタフェース装置０１１４には、ＲＳ−２３２等のシリアル通信等により、１台以上のビル諸設備Ｂ１，Ｂ２，…，Ｂｍが接続される。
【００２３】
次に、図１を用いて、本発明装置がエレベータとビル設備の監視、及び制御を行う概略を示し、動作説明をする。
【００２４】
管理装置０１００は、エレベータ通信インタフェース装置０１１２からの信号出力、又は、エレベータインタフォン、又は、監視カメラなどのエレベータ付帯設備インタフェース装置０１１３からの信号出力、又は、ビル設備系ネットワークインタフェース装置０１１４からの信号出力、又は、ビル内ネットワーク0107を介し、情報系ＰＣ０１０５が接続されるビル内情報系ネットワークインタフェース装置０１１１からの信号出力、又は、広域ネットワーク０１０４を介したビル群管理センタ０１０２、及び、ＰＨＳ、又は携帯電話０１０３が接続される広域ネットワークインタフェース装置０１１０等からの信号出力を入力として演算処理を行い、演算処理の結果、エレベータ付帯設備インタフェース装置０１１３、又は、エレベータ通信インタフェース装置０１１２、又は、ビル設備系ネットワークインタフェース装置０１１４等に対して、制御出力を送信し、ビル内情報系ネットワークインタフェース装置０１１１、又は、広域ネットワークインタフェース装置０１１０等に対して、データ出力を行う。以上により、エレベータとビル設備の状態情報の提供、異常事態などのエレベータＥＶ１，ＥＶ２，…，ＥＶｎ、又は、エレベータ付帯設備Ｅ１，Ｅ２，…，Ｅｎ、又は、ビル諸設備Ｂ１，Ｂ２，…，Ｂｍの監視、及び制御を、群管理センタ０１０２，ＰＨＳ、又は、携帯電話０１０３、又は、情報系ＰＣ０１０５等により行う。
【００２５】
図３を用い、より具体的な動作例として、エレベータの監視、及び制御を行うエレベータ監視サービスについて説明を行う。エレベータ監視サービスにおける全体の構成は、管理装置０１００のエレベータ通信インタフェース装置０１１２に、一台以上の自社エレベータ制御装置ＭＥ１，ＭＥ２，…，ＭＥｎ、又は、インタフェース変換０３００を介し、一台以上の他社エレベータ制御装置ＯＥ１，…，ＯＥｎが接続されている。それ以外の構成は、図１と同様である。エレベータ監視サービスは、エレベータの設備稼働情報や、異常及び異常予兆情報を、群管理センタ０１０２，ＰＨＳ、又は、携帯電話０１０３、又は、情報系ＰＣ0105等に伝送を行い、又、群管理センタ０１０２，ＰＨＳ、又は、携帯電話０１０３、又は、情報系ＰＣ０１０５等から、ビル内ネットワーク０１０７、又は、広域ネットワーク０１０４を介し、任意のエレベータＭＥｘ、又は、ＯＥｘにエレベータの運用情報を伝送するサービスである。例えば、任意のエレベータＭＥｘ、又は、ＯＥｘが異常を検知した場合、管理装置０１００には、エレベータ通信インタフェース装置０１１２を介し、エレベータＭＥｘ、又は、ＯＥｘから異常通知信号が入力される。入力された異常通知信号は管理装置０１００により演算処理され、処理結果の異常通知信号がビル内情報系ネットワークインタフェース装置０１１１，ビル内ネットワーク０１０７を介して情報系ＰＣ０１０５に、広域ネットワークインタフェース装置０１１０，広域ネットワーク０１０４を介してビル群管理センタ０１０２、又は、ＰＨＳ、又は、携帯電話０１０３に伝送される。また、異常通知信号を発した任意のエレベータＭＥｘ、又は、ＯＥｘの異常状態を、ビル群管理センタ０１０２が解除する場合、ビル群管理センタ０１０２は、広域ネットワーク０１０４を介して、管理装置０１００の広域ネットワークインタフェース装置０１１０に異常解除信号を伝送する。広域ネットワークインタフェース装置０１１０に入力された異常解除信号は、管理装置０１００の中央演算処理装置０２００により演算処理され、エレベータ通信インタフェース装置０１１２を介して、異常状態にあるエレベータＭＥｘ、又は、ＯＥｘに状態解除信号を伝送する。
【００２６】
次に、管理装置０１００の中央演算処理装置０２００が行う演算処理を、エレベータ監視サービスを例に制御ブロック図を用いて説明する。図４は、管理装置０１００の記憶装置０２０１に格納され、中央演算処理装置０２００により、実行されるプログラムとその関係を示したものである。このプログラムは、情報系通信部０４０２，設備系通信部０４０３，プログラム管理実行部０４０４，エレベータ監視、及び制御プログラム部０４０５，ビル設備監視、及び制御プログラム部０４０６，サービスプログラム部０４０７，ホームページ編集、及び転送部０４０８，プラグアンドプレイ部０４０９から構成される。情報系通信部0402は、情報系ネットワークインタフェース装置０２０３を制御して、情報系ネットワーク０２０９との通信プロトコル処理を行い、メッセージの送受信を行う機能を備えるプログラムである。設備系通信部０４０３は、設備系ネットワークインタフェース装置０２０２を制御して、設備系ネットワーク０２０８との通信プロトコル処理を行い、メッセージの送受信を行う機能を備えるプログラムである。プログラム管理実行部０４０４は、エレベータ監視、及び制御プログラム部0405，ビル設備監視、及び制御プログラム部０４０６，サービスプログラム部０４０７，ホームページ編集、及び転送部０４０８の管理、及び実行を行う。エレベータ監視、及び制御プログラム部０４０５は、エレベータ監視、及び制御を行い、エレベータ制御盤の機能を持ち、プログラム管理実行部０４０４に管理、及び実行される。ビル設備監視、及び制御プログラム部０４０６は、ビル設備の監視、及び制御を行い、ビル管理コントローラの機能を持ち、プログラム管理実行部0404に管理、及び実行される。サービスプログラム部０４０７は、サービス、又は、管理装置０１００の制御を行うプログラムであり、サービスプログラム配信サーバ０２０７から情報系ネットワーク０２０９を介して配信され、プログラム管理実行部０４０４で管理、及び実行される。サービスプログラム配信サーバ0207からサービスプログラムを配信し、サービスプログラム部０４０７を変更することにより、設置後でも管理装置０１００の機能を再構築することが可能となる。例えば、連動制御を行わせる等の仕様変更に対応でき、ユーザのニーズ等に合わせ、カスタマイズ可能である。また、エレベータ監視、及び制御プログラム部0405，ビル設備監視、及び制御プログラム部０４０６，サービスプログラム部0407，ホームページ編集、及び転送部０４０８も、サービスプログラム部０４０７と同様に変更可能である。ホームページ編集、及び転送部０４０８は、設備系通信部０４０３を介して、エレベータＥＶ１，ＥＶ２，…，ＥＶｎ、又は、エレベータ付帯設備Ｅ１，Ｅ２，…，Ｅｎ、又は、ビル設備Ｂ１，Ｂ２，…，Ｂｍの稼働状況を収集し、収集した稼働情報をデータ変換し、情報系通信部０４０２を介して、ビル群管理センタ０１０２、又は、ＰＨＳ、又は、携帯電話０２０３、又は、モバイルＰＣ、又は、情報系ＰＣ０１０５等にデータ送信する。送信された制御状態情報が、インタネットで使用されるホームページ形式であれば、マンマシン装置０２０６に、ブラウザと呼ばれる汎用のホームページ形式ファイルの取り込みと、その表示の機能を有するプログラムを実装することにより、昇降機システム用の特別なマンマシン装置が無くとも、パソコンのような情報処理装置で、制御状態情報を見たり、制御状態設定等の情報操作することができるようになる。プラグアンドプレイ部０４０９は、設備系通信部０４０３を介して、エレベータＥＶ１，ＥＶ２，…，ＥＶｎ、又は、エレベータ付帯設備Ｅ１，Ｅ２，…，Ｅｎ、又は、ビル設備Ｂ１，Ｂ２，…，Ｂｍの接続状況を監視し、接続が行われた場合は、接続された設備に対応するサービスプログラムの起動をプログラム管理実行部０４０４に通知し、設備の分離が行われた場合には、設備に対応するサービスプログラムの終了をプログラム管理実行部０４０４に通知する。
【００２７】
次に、エレベータ監視、及び制御プログラム部０４０５における演算処理を図５のＰＡＤ図を用いて説明する。
（ステップ０５００）エレベータ監視、及び制御プログラム部０４０５は、起動されると、以下の処理を繰り返す。
（ステップ０５０１）情報系通信部０４０２、又は、設備系通信部０４０３からデータが伝送されて来たか検出する。
（ステップ０５０２）エレベータからの異常通知や、マンマシンからの異常状態解除など検出された伝送データにより処理が分岐する。
（ステップ０５０３）ステップ０５０２で検出された伝送データが、エレベータからの異常通知ならば、エレベータの異常状態をマンマシン装置へ通知するための電文を作成する。
（ステップ０５０４）ステップ０５０３で作成した電文を、マンマシン装置へ送信するため、情報系通信部０４０２に電文を渡す。
（ステップ０５０５）ステップ０５０２で検出された伝送データが、マンマシンからのエレベータの異常状態の解除通知ならば、エレベータの異常状態の解除を、伝送データで指定されているエレベータＥＶｘへ通知する電文を作成する。
（ステップ０５０６）ステップ０５０５で作成した電文を、エレベータＥＶｘへ送信するため、設備系通信部０４０３に電文を渡す。
（ステップ０５０７）予め定めておいた一定時間待ち、再びステップ０５００の処理へ戻る。
【００２８】
以上の処理が、エレベータ監視、及び制御プログラム部０４０５におけるエレベータ監視サービスの演算処理であり、これにより、マンマシンへのエレベータの異常通知，エレベータへの異常状態解除等の演算処理が行われる。ただし、エレベータ監視、及び制御プログラム部０４０５は、サービスプログラム配信サーバ０２０７からの配信により、変更可能のため、上記演算処理は一例である。
【００２９】
次に、各設備の監視、及び制御のためにマンマシン装置０２０６へ表示するホームページの作成と転送に関する演算処理を、図６に示す制御ブロック図を用いて説明する。情報系通信部０４０２は、広域ネットワーク通信部０６００、及び、ビル内外専用通信部０６０１から構成される。ホームページ編集、及び転送部０４０８は、ホームページ転送部０６０２，ホームページマンマシン部０６０３，ホームページ編集部０６０４，ＨＴＭＬファイル群０６０５から構成される。それ以外は、図４と同様の構成である。設備系通信部０４０３は、リアルタイム設備監視部０６０６、及びリアルタイム設備制御部０６０６から構成される。広域ネットワーク通信部０６００は、広域ネットワーク０１０４を介して、ビル群管理センタ０１０２、又は、ＰＨＳ、又は、携帯電話０２０３、又は、モバイルＰＣと通信を行う。ビル内外専用通信部０６０１は、ビル内ネットワーク0107を介して、ビル群管理センタ０１０２、又は、情報系ＰＣ０１０５と通信を行う。ビル内外専用通信部０６０１と、ビル群管理センタ０１０２が通信を行う場合は、ビル内ネットワーク０１０７とビル群管理センタ０１０２の間に、ダイヤルアップルータ０１０６を介す。
【００３０】
昇降機システム内の管理装置０１００は、制御対象に対するリアルタイム制御を行うと共に、その制御状態情報を周期的にホームページ形式ファイルへ自動変換し、さらに、このファイルの配信要求に対し、応えるための通信処理を行う。リアルタイム設備監視部０６０６から送信されてくる制御状態情報を、インタネットで使用されるホームページ形式で、マンマシン装置０２０６でみるためには、リアルタイム設備監視部０６０６から送信されてくる制御状態情報を、ホームページ形式で情報を公開するためのファイル形式に変換することが必要である。例えば、ＨＴＭＬ(HYPER TEXT MARKUP LANGUAGE）形式ファイルに変換する。このとき、プログラム管理実行部０４０４内のホームページ編集、及び転送部0408は、ホームページ形式での情報配信のサーバ装置機能を持ち、昇降機システム内のマンマシン装置０２０６は、クライアント装置機能をもつことになる。
【００３１】
しかし、インタネット環境の汎用ブラウザは、見たい情報をネットワークから取り出し、一度、表示するのみであるため、状態監視のような用途での見たい画面の更新が一般的にはできない。このため、制御状態情報をＨＴＭＬファイル形式に変換する際、このファイル中に、昇降機システム内のマンマシン装置0206上で実行される、マンマシン装置０２０６上の該当ファイルへの周期的な情報配信要求の出力プログラムを含ませる。ホームページ転送部０６０２は、最初のマンマシン装置０２０６からのファイル転送要求時に、マンマシン装置０２０６に、このファイルを送ることで、以降、マンマシン装置０２０６から転送要求が、一定周期で管理装置０１００に送られ、管理装置０１００の状態表示画面が更新されることになる。
【００３２】
この方式によれば、マンマシン装置０２０６には、昇降機システムに関係するプログラム等は、搭載する必要がない。
【００３３】
また、この形式のファイルを昇降機システム内のマンマシン装置０２０６とホームページ編集、及び転送部０４０８との間でやり取りする共通な通信手順、例えば、ＨＴＴＰ（HYPER TEXT TRANSFER PROTOCOL）を実行する処理プログラムによって、ファイルのやり取りを行うことが必要である。
【００３４】
マンマシン装置０２０６にて、制御状態情報を表示するための機能は、管理装置０１００の制御対象とは、関係のないものでよい。従って、一般事務室等にある汎用のパソコンに、インタネットの環境を実現するための汎用のブラウザを載せれば、制御状態情報を、一般事務室にある汎用パソコンでも見ることができる。
【００３５】
また、ホームページ形式ファイル、例えば、ＨＴＭＬ形式ファイルは、その記述方式のなかで、他のＨＴＭＬ形式ファイルと、その格納場所を特定するタグ情報をファイル中に記述することができる。このタグ情報は、ＨＴＭＬ形式ファイルでは、ＵＲＬ(UNIVERSAL RESOURCE LOCATION）タグと呼ばれるものである。
【００３６】
これによって、ある管理装置０１００の制御状態情報をホームページ形式ファイルとして、マンマシン装置０２０６で見ている際、そのファイルと関連するファイルとその管理装置０１００に対応する格納先アドレスをそのまま、または、関連するファイルとその管理装置０１００に対応する格納先アドレスをそのファイルに対応する機能を示す文字または、文章で表現することで、関連する情報をホームページ形式で、次々に関連付けてみることができることになる。
【００３７】
例えば、管理装置０１００が制御対象区画を物理的に分けて配置されている場合、ある区画の制御状態情報を見ていて、隣の区画の制御状態情報を見たくなった場合、該当する情報を持つ管理装置０１００のアドレス，情報格納ファイル名が分からなくとも、現在、見ているファイルの中に、隣接する区画の管理装置０１００の制御状態情報ファイルに対応するＵＲＬタグをマンマシン装置0206の画面上で、ダブルクリックする等の操作で、該当する情報を見ることができる。
【００３８】
広域ネットワーク通信部０６００は、必要に応じて、ダイヤルアップ接続される広域ネットワークインタフェース装置０１１０を制御し、公衆ネットワーク０３０４とのＰＰＰなどによる通信プロトコル処理を行うプログラムである。ビル内外専用ネットワーク通信部０６０１は、イーサネット等で、常時接続されたビル内情報系ネットワークインタフェース装置０１１１を制御し、設備系ネットワーク０２０８との通信プロトコル処理を行うプログラムである。
【００３９】
ホームページ転送部０６０２は、ＨＴＴＰによるプロトコル処理を行い、マンマシン装置０２０６からのホームページ転送要求によりＨＴＭＬファイル群0605から、指定されたホームページをマンマシン装置０２０６に転送する。また、マンマシン装置０２０６から制御要求があった場合は、その要求をホームページマンマシン部０６０３に通知し、ホームページマンマシン部０６０３の処理結果として、渡されたＨＴＭＬファイルを転送する。
【００４０】
ホームページマンマシン部０６０３は、ホームページ転送部０６０２からの制御要求を受けて、対象となる設備に対応するリアルタイム設備制御部０６０７を実行し、その結果としてＨＴＭＬファイルを作成、又は、ＨＴＭＬファイル群０６０５からＨＴＭＬファイルを取得し、ホームページ転送部０６０２へ返す。ホームページ編集部０６０４は、リアルタイム設備監視部０６０６から、適宜、送信されてくる各種設備の制御状態情報を、一定周期でＨＴＭＬファイル形式に変換し、ＨＴＭＬファイル群０６０５に格納するプログラムである。ＨＴＭＬファイル形式へ変換する場合、マンマシン装置０２０６上の該当ファイルへの周期的な情報配信要求の出力プログラムを含ませ、マンマシン装置０２０６上の状態表示画面の一定周期で更新を行う。
【００４１】
ＨＴＭＬファイル群０６０５には、各種設備の制御状態情報が、ＨＴＭＬ形式で格納されている。
【００４２】
リアルタイム設備監視部０６０６は、適宜、送信されてくる各種設備の制御状態情報を、ホームページ編集部０６０４へ伝送するプログラムである。
【００４３】
リアルタイム設備制御部０６０７は、ホームページマンマシン部０６０３からの制御要求を受けて起動し、対象設備への制御命令を指定された対象設備へと、設備系ネットワーク０２０８を介して通知する。
【００４４】
ホームページ転送部０６０２における演算処理を図７のＰＡＤ図を用いて説明する。
（ステップ０７００）ホームページ転送部０６０２は、マンマシン装置0206から、ホームページ転送要求があった場合に起動され、以下の処理を繰り返す。終了条件は、マンマシン装置０２０６から切断要求があった場合である。
（ステップ０７０１）マンマシン装置０２０６から、ＨＴＭＬファイルの転送要求があるか条件判定を行う。
（ステップ０７０２）ステップ０７０１の条件判定が、真ならば、マンマシン装置０２０６から要求されたＨＴＭＬファイルをＨＴＭＬファイル群０６０５から取得する。
（ステップ０７０３）ステップ０７０２で取得したＨＴＭＬファイルを、マンマシン装置０２０６へ送信するため、情報系通信部０４０２に電文を伝送する。
（ステップ０７０４）マンマシン装置０２０６からの設備制御要求を受けたか条件判定を行う。
（ステップ０７０５）ステップ０７０４で取得した設備制御要求から対象設備と、その設備への制御命令をホームページマンマシン部０６０３に受け渡す。
（ステップ０７０６）ステップ０７０５でホームページマンマシン部０６０３が実行され、その処理の結果としてＨＴＭＬファイルを受け取り、そのＨＴＭＬファイルをマンマシン装置０２０６へ送信する。
（ステップ０７０７）予め定めておいた一定時間待ち、再びステップ０７００の処理へ戻る。
【００４５】
以上の処理が、ホームページ転送部０６０２における演算処理であり、これにより、マンマシン装置０２０６へのホームページ転送の演算処理が行われる。
【００４６】
ホームページマンマシン部０６０３における演算処理を図８のＰＡＤ図を用いて説明する。
（ステップ０８００）ホームページマンマシン部０６０３は、常時起動しており、以下の処理を繰り返す。
（ステップ０８０１）ホームページ転送部０６０２の処理０７０５から制御要求があるか条件判定を行う。
（ステップ０８０２）ステップ０８０１の条件判定が、真ならば、ホームページ転送部０６０２から取得した制御要求に対応するリアルタイム設備制御部0607を実行する。
（ステップ０８０３）ステップ０８０２で実行したリアルタイム設備制御部０６０７の実行結果を受け取る。
（ステップ０８０４）ステップ０８０３で、実行結果を受け取り、受け取った実行結果に、周期的な情報配信要求の出力プログラムを含ませ、設備制御要求に対応するＨＴＭＬファイルをＨＴＭＬファイル群０６０５から取得、又は、作成する。
（ステップ０８０５）マンマシン装置０２０６へ送信するため、ステップ0804で取得、又は、作成したＨＴＭＬファイルを、ホームページ転送部０６０２へ受け渡す。
（ステップ０８０６）予め定めておいた一定時間待ち、再びステップ０７００の処理へ戻る。
【００４７】
以上の処理が、ホームページマンマシン部０６０３における演算処理であり、これにより、リアルタイム設備制御部０６０７の制御、及び制御結果としてホームページ転送の演算処理が行われる。
【００４８】
ホームページ編集部０６０４における演算処理を図９のＰＡＤ図を用いて説明する。
（ステップ０９００）ホームページ編集部０６０４は起動されると、リアルタイム設備監視部０６０６から全設備の状態を取得し、取得した状態情報からマンマシン装置０２０６に表示させるＨＴＭＬファイルを作成し、ＨＴＭＬファイル群０６０５に格納する。
（ステップ０９０１）ステップ０９０２以下の処理を繰り返す。
（ステップ０９０２）リアルタイム設備監視部０６０６から、各設備の状態に対する通知があるか条件判定を行う。
（ステップ０９０３）ステップ０９０２の条件判定が、真ならば、変更通知があった各設備に対応するＨＴＭＬファイルを、通知された各設備の状態に対応するよう編集する。
（ステップ０９０４）ステップ０９０３で編集されたＨＴＭＬファイルを、ＨＴＭＬファイル群０６０５に格納する。
（ステップ０９０５）予め定めておいた一定時間待ち、再びステップ０９０１の処理へ戻る。
【００４９】
以上の処理が、ホームページ編集部０６０４における演算処理であり、これにより、リアルタイム設備制御部０６０７から送信されてくる各設備の実行状態を、ＨＴＭＬファイルとしてＨＴＭＬファイル群０６０５に格納する演算処理が行われる。
【００５０】
以上により、汎用的なマンマシン装置を用いて、遠隔からエレベータを監視、及び制御可能で、設置コストを抑えることが可能な、昇降機システムが実現できる。
【００５１】
（実施例２）
実施例２では、動作例としてビル設備監視サービスについて、説明を行うが、それ以外の部分は実施例１と同様であるので、説明を省略する。ビル設備監視サービスにおける全体の構成は、図１と同様である。ビル設備監視サービスの内容は、任意のビル設備Ｂｘの稼働情報や異常及び異常予兆情報を、情報系ＰＣ0105、又は、ビル群管理センタ０１０２、又は、ＰＨＳ、又は携帯電話０１０３に伝送し、また、情報系ＰＣ０１０５、又は、ビル群管理センタ０１０２、又は、ＰＨＳ、又は携帯電話０１０３から、ビル設備の運用情報をビル内ネットワーク０１０７、又は広域ネットワーク０１０４を介し、任意のビル設備Ｂｘに運用情報を伝送するサービスである。例えば、任意のビル内設備Ｂｘが異常を検知した場合、管理装置０１００には、設備系ネットワークインタフェース装置０２０２のビル設備系ネットワークインタフェース装置０１１４を介して、ＬＯＮ，ＢＡＣＮＥＴなどの通信プロトコルにより異常通知信号が入力される。入力された異常通知信号は管理装置０１００の中央処理装置０２００により演算処理され、処理結果の異常通知信号がビル情報系ネットワークインタフェース０２０３のＰＨＳモデム０１０９、又は、広域ネットワークインタフェース装置０１１０を介して、広域ネットワーク０１０４に、又は、ビル内ネットワークインタフェース装置０１１１を介して、ビル内ネットワーク０１０７に伝送される。広域ネットワーク０１０４に伝送された異常通知信号は、ビル群管理センタ０１０２および携帯電話０２０３に伝送される。ビル内ネットワーク０１０７に伝送された異常通知信号は、情報系ＰＣ０１０５、又は、ダイヤルアップルータ０１０６に伝送される。ダイヤルアップルータ０１０６に伝送された異常通知信号は、広域ネットワーク０１０４を介して、ビル群管理センタ０１０２、及び携帯電話0203に伝送される。情報系ＰＣ０１０５、又は、ビル群管理センタ０１０２、又は、ＰＨＳ、又は携帯電話０１０３に伝送された異常通知信号は、各装置のマンマシン処理部で処理され異常が通知される。また、異常通知信号を発した任意のビル設備Ｂｘの異常状態を、ビル群管理センタ０１０２が解除する場合、ビル群管理センタ０１０２は、例えば、広域ネットワーク０１０４を介して、管理装置0100の広域ネットワークインタフェース装置０１１０に異常解除信号を伝送する。広域ネットワークインタフェース装置０１１０に入力された異常解除信号は、管理装置０１００の中央演算処理装置０２００により演算処理され、ビル設備系ネットワークインタフェース装置０１１４を介して、異常状態にあるビル設備Ｂｘに状態解除信号を伝送する。
【００５２】
次に、ビル設備監視サービスにおける管理装置０１００の中央演算処理装置０２００の演算として、ビル設備監視、及び制御プログラム部０４０６における演算処理を図１０のＰＡＤ図を用いて説明する。
（ステップ１０００）ビル設備監視、及び制御プログラム部０１１１は、起動されると以下の処理を繰り返す。
（ステップ１００１）情報系通信部０４０２、又は、設備系通信部０４０３からデータが伝送されて来たか検出する。
（ステップ１００２）ビル設備からの異常通知や、マンマシンからの異常状態解除など検出された伝送データにより処理が分岐する。
（ステップ１００３）ステップ１００２で検出された伝送データが、ビル設備からの異常通知ならば、ビル設備の異常状態を通知する電文を作成する。
（ステップ１００４）ステップ１００３で作成した電文を、マンマシン装置へ送信するため、情報系通信部０４０２に電文を伝送する。
（ステップ１００５）ステップ１００２で検出された伝送データが、マンマシンからのビル設備の異常状態の解除通知ならば、ビル設備の異常状態を解除する通知する電文を作成する。
（ステップ１００６）ステップ１００５で作成した電文を、指定された異常状態にあるビル設備へ送信するため、設備系通信部０４０３に電文を伝送する。
（ステップ１００７）予め定めておいた一定時間待ち、再びステップ１０００の処理へ戻る。
【００５３】
以上の処理が、ビル設備監視、及び制御プログラム部０４０６におけるビル設備監視サービスの演算処理であり、これにより、マンマシンへのビル設備の異常通知，ビル設備への異常状態解除等の演算処理が行われる。ただし、ビル設備監視、及び制御プログラム部０４０６は、サービスプログラム配信サーバ０２０７からの配信により、変更可能なので、上記演算処理は一例である。
【００５４】
以上により、ビル設備を監視、及び制御可能な昇降機システムが実現できる。
【００５５】
（実施例３）
実施例３では、動作例としてエレベータ、及びビル設備の接続時における設備の自動識別、及び制御サービスについて、説明を行うが、それ以外の部分は実施例２と同様であるので、説明を省略する。
【００５６】
管理装置０１００は、仕様の変更があった場合や、お客さまの要望に合わせ昇降機システムをカスタマイズする場合に、サービスプログラム配信サーバ0207から、広域ネットワーク０１０４を介して、サービスプログラムをダウンロードし、機能を変更することができる。
【００５７】
設備の自動識別、及び制御サービスは、サービスプログラムのダウンロードと、設備接続時に、自動的に設備の接続を認識し、設備と対応するサービスプログラムの実行により実現されるサービスである。
【００５８】
図１１に、サービスプログラム配信サーバ０２０７のサービスプログラム配信機能を示し、説明する。サービスプログラム配信サーバ０２０７は情報系ネットワーク０２０９に接続している管理装置０１００に対して、サービスプログラム１１０５を配信して、サービスの提供を行う。サービスプログラム配信サーバ０２０７の二次記憶装置１１００には、サービスプログラムデータ１１０１，署名データ１１０２があらかじめ格納されている。サービスプログラム１１０５の配信は、サービスプログラム生成部１１０３とサービスプログラム配信部1104が行っている。配信の手順は、サービスプログラム生成部１１０３が、サービスプログラムデータ１１０１とセンタ署名１１０２からサービスプログラム１１０５を生成し、サービスプログラム配信部１１０４が、管理装置０１００に対して、サービスプログラム１１０５を配信する。サービスプログラム１１０５は必要なサービスプログラムデータ１１０６とセンタ署名１１０７から構成されている。１つのサービスプログラムにサービスプログラムデータ１１０６を複数含むことが可能である。
【００５９】
管理装置０１００のプログラム管理実行部０４０４は、サービスプログラム配信サーバ０２０７から情報系ネットワーク０２０９を介し、配信されてくるサービスプログラム部０４０７を管理実行する機能を備えるものであり、その処理の一例を示したのが図１２である。サービスプログラム配信サーバ０２０７から、サービスプログラム１１０５が配信され、プログラム管理実行部０４０４のセンタ署名認証部１２００で認証が行われる。管理装置０１００の記憶装置０２０１には、予めサービスプログラム配信サーバ０２０７の証明書１２０１が格納されている。センタ署名認証部１２００は、サービスプログラムが配信される時に、サービスプログラム１１０５が持つセンタ署名１１０６と、管理装置０１００の記憶装置０２０１に、予め格納されているセンタサーバの証明書１２０１によって、サービスプログラム１１０５の正当性を認証する処理を行う。認証を行った後にサービスプログラム１１０５は、記憶装置０２０１のサービスプログラム群１２０２に格納される。
【００６０】
図１３に、設備接続時に、自動的に設備の接続を認識し、設備と対応するサービスプログラムを実行する機能を示し、説明する。エレベータＥＶ１，ＥＶ２，…，ＥＶｎ、エレベータ付帯設備Ｅ１，Ｅ２，…，Ｅｎ、ビル内設備Ｂ１，…，Ｂｎ等の各種諸設備がＬｏｎ／ＢＡＣＮｅｔ等の設備系ネットワークにより設備系ネットワークインタフェース装置０２０２を介して接続された場合、リアルタイム設備監視部０６０６が、設備の接続を検出し、プラグアンドプレイ部0409が接続された設備のデータ１３０１を作成、又は編集する。プログラム実行部1300は、作成されたデータ１３０１に基づき、サービスプログラム群１２０２の中から接続された設備に対応するサービスプログラム部０４０７を実行する。又、プログラム実行部１３００は、サービスプログラムの実行状態や資源を管理する。実行されたサービスプログラムは、その目的に応じ、エレベータ、又は、ビル設備等の監視、及び制御を行う。
【００６１】
図１４にサービスプログラム０１０５の内容構成例を示し、説明する。サービスプログラム０１０５は、サービスプログラムの識別番号，センタ署名，サービスプログラムが持つサービスプログラムの数，各サービスのプログラム本体の集合からなる。
【００６２】
図１１に示したサービスプログラム配信サーバ０２０７におけるイベント処理のフローチャートを図１５に示し、処理フローを以下に説明する。
（ステップ１５０１）イベントキューのイベントを１つ読み込む。
（ステップ１５０２）イベントがサービスの配信開始要求イベントである場合は処理１５０３に進み、それ以外はステップ１５０８に進む。
（ステップ１５０３）センタ署名，サービスプログラムに含むサービスの数，サービスプログラム本体をマージし、サービスプログラム１１０５を生成する。ステップ１５０４に進む。
（ステップ１５０４）サービスプログラム配信部１１０４のサービスプログラム配信処理を実行し、ステップ１５０３で生成したサービスプログラム１１０５を、該当する管理装置０１００に送信し、ステップ１５０１に戻る。
（ステップ１５０５）サービスプログラム配信サーバ０２０７で行うべきその他のイベント処理を行い、ステップ１５０１に戻る。
【００６３】
次に管理装置０１００でのサービスプログラム実行処理を含むイベント処理ルーチンのフローチャートを図１６に示し、処理フローを以下に示す。
（ステップ１６００）起動されるとステップ１６０１以下の処理を繰り返す。
（ステップ１６０１）イベントキューからイベントを読み込む。
（ステップ１６０２）検出されたイベントにより処理が分岐。
（ステップ１６０３）サービスプログラムの受信がある場合は、当該管理装置０１００で実行すべきサービスプログラムの実行が全て終了したかどうかを判別し、終了していればステップ１６０４に進み、それ以外はステップ１６０１に戻るループ終了の判別処理。
（ステップ１６０４）１つのサービスプログラムを実行し、ステップ１６０３に戻る。
（ステップ１６０５）エレベータ監視、及び制御プログラム部０４０５へのイベントがある場合は、エレベータ監視、及び制御プログラム部０４０５にイベントを通知し、ステップ１６０１に進む。エレベータ監視、及び制御プログラム部０４０５の処理の詳細は図５で示した。
（ステップ１６０６）ビル設備監視、及び制御プログラム部０４０６へのイベントがある場合は、ビル設備監視、及び制御プログラム部０４０６にイベントを通知し、ステップ１６０１に進む。ビル設備監視、及び制御プログラム部0406の処理の詳細は図１０で示した。
（ステップ１６０７）サービスプログラム部０４０７へのイベントがある場合は、サービスプログラム部０４０７にイベントを通知し、ステップ１６０１に進む。
【００６４】
以上により、エレベータ、及びビル設備の接続時における設備の自動識別、及び制御が可能な、昇降機システムが実現できる。
【００６５】
（実施例４）
実施例４では、昇降機設備の遠隔診断装置にビル設備の監視制御、又は、ビル内へのビル設備情報配信等の機能を持たせた例について説明を行うが、それ以外の部分は実施例３と同様であるので、説明を省略する。全体の構成は、本発明装置にエレベータ制御盤通信インタフェース装置１７００が付加されており、エレベータ制御盤通信インタフェース装置１７００に、自社エレベータ制御盤MEB1,ＭＥＢ２，…，ＭＥＢｎ、インタフェース変換装置１７０１を介し、他社エレベータ制御盤ＯＥＢ１，ＯＥＢ２，…，ＯＥＢｎが接続されている。それ以外は、図３と同様である。昇降機設備の遠隔診断装置にビル設備の監視制御、又は、ビル内へのビル設備情報配信等の機能を持たせたため、エレベータの制御はエレベータ制御盤が行う。このため、管理装置０１００の中央演算処理装置０２００が行う演算処理は、図１８に示すように、エレベータ監視、及び制御プログラム部０４０５が不要となる。それ以外は、図４と同様である。
【００６６】
以上から、昇降機設備の遠隔診断装置にビル設備の監視制御、又は、ビル内へのビル設備情報配信等の機能を持たせることにより、汎用的なマンマシン装置を用いて、遠隔からエレベータを監視、及び制御、又は、ビル設備の監視制御、又は、ビル内へのビル設備情報配信等の機能を持ち、設置コストを抑えることが可能な、昇降機システムが実現できる。
【００６７】
（実施例５）
次に、本発明による昇降機設備の管理装置を用いたビル設備の改修方法およびビル設備の管理方法について説明する。本発明による昇降機設備の管理装置は、上述した実施例のように、昇降機および／または昇降機の制御装置および／または昇降機付帯設備を含む昇降機設備に関する情報に基づいて昇降機設備を制御および／または監視する機能と、ビル設備に関する情報に基づいてビル設備を制御および／または監視する機能とを備え、さらに外部装置を接続するための通信インタフェース装置を備える。すなわた、本発明による昇降機設備の管理装置は、昇降機および／または昇降機付帯設備を含む昇降機設備を制御および／または監視すると共に、ビル設備を制御および／または監視する機能を有する。
【００６８】
まず、新築ビルにおけるエレベータ新設、あるいはエレベータまたはエレベータ付帯設備あるいはそれら両方のリニューアルの際に、図１に示す昇降機設備の管理装置０１００を、エレベータＥＶ１，…ＥＶｎまたはエレベータ付帯設備Ｅ１，…Ｅｎあるいはそれらの両方を制御または監視あるいはそれらの両方を行うために設置する。エレベータＥＶ１，…ＥＶｎ，エレベータ付帯設備Ｅ１，…Ｅｎは、前述したように、インタフェース装置０２０２，通信インタフェース装置０２０３，通信回線であるネットワーク（０１０４，０１０７）を介して、外部装置であるＰＨＳ端末または携帯電話０１０３，管理センタ０１０２，情報系ＰＣ０１０５によって制御，監視される。
【００６９】
次に、昇降機設備の制御，監視のために管理装置０１００が設置され稼働始めた後でビル設備の改修すなわち新設，増設，取り替えが行われ、エレベータ以外のビル諸設備Ｂ１，…Ｂｍの制御，監視が必要となる場合、既設の昇降機設備の管理装置０１００のインタフェース装置０２０２におけるビル設備系ネットワークインタフェース装置０１１４にビル諸設備Ｂ１，…Ｂｍが接続される。これにより、ビル諸設備Ｂ１，…Ｂｍは、前述したように、インタフェース装置0114,通信インタフェース装置０２０３，ネットワーク(０１０４，０１０７)を介して、ＰＨＳ端末または携帯電話０１０３,管理センタ０１０２,情報系ＰＣ０１０５によって制御，監視される。すなわち、新たな管理装置を設けることなく、既設の昇降機設備の管理装置０１００によって、ビル諸設備Ｂ１，…Ｂｍを制御，監視することができる。
【００７０】
ビル諸設備Ｂ１，…Ｂｍを制御，監視する機能は、外部装置たとえば管理センタ０１０２から管理装置０１００にサービスプログラムを配信することによって、管理装置０１００へ転送される。なお、サービスプログラム配信方法の詳細は図１１と同様である。
【００７１】
本実施例によれば、ビル設備の改修の際に、昇降機設備用の既設の管理装置によってビル諸設備を制御，監視できる。したがって、ビル設備の利用者とっては、管理装置新設に伴う初期コスト無で、ビル諸設備の制御，監視が可能になったり、あるいは管理センタによる制御，監視サービスを受けることができる。また、昇降機用管理装置を設置する業者、たとえばエレベータメーカや管理センタを運営する保守業者は、エレベータの制御，監視サービスの受注に加え、設置後にビル諸設備の制御，監視サービスの受注を見込むことができる。
【００７２】
なお、本実施例は、新設，増設，取り替えのみならず、既存のものを含むビル設備について制御，監視が必要になった場合に、ビル設備の管理方法として適用できる。
【００７３】
（実施例６）
実施例６では、昇降機設備の管理装置の設置場所、および、エレベータ用ネットワークをビル設備の制御および／または監視に利用する例について説明するが、それ以外の部分は実施例１、または、実施例２と同様であるので、説明を省略する。
【００７４】
図２０は、本実施例の全体構成を示す。本実施例は、昇降路２０００，機械室２００１，三方枠２００２，エレベータ用ネットワーク２００３，エレベータ呼び釦２００４，インジケータ２００５から構成され、それ以外は、図１または図３と同様である。また、機械室レス型のエレベータを想定した場合、図２０において、機械室２００１は必ずしも必要な構成要素ではない。
【００７５】
本発明による昇降機設備の管理装置０１００は、昇降路２０００，機械室2001，三方枠２００２のいずれかに設置できる。本管理装置０１００からはエレベータ用ネットワーク２００３が伸びており、エレベータ呼び釦２００３，インジケータ２００５等のエレベータ設備に接続されている。また、エレベータ用ネットワーク２００３には、エレベータ付帯設備Ｅ１，Ｅ２，…，Ｅｎ、ビル諸設備Ｂ１，Ｂ２，…，Ｂｍが接続可能である。
【００７６】
図２１および図２２は、昇降機設備の管理装置０１００の設置例である。図２１は、管理装置０１００がエレベータの制御機能を持つ場合、図２２は、管理装置０１００がエレベータの制御機能を持たない場合の設置例である。図２１において、管理装置０１００は格納箱２１００、又は、三方枠２００２に収納されている。図２２において、エレベータ制御盤ＭＥｘは分離しており、格納箱2100、又は、三方枠２００２も破線のように別々でもよく、設置場所を分散してもよい。
【００７７】
以上から、昇降機設備の管理装置０１００は、従来のエレベータ制御盤／エレベータ遠隔監視診断装置と同様に、昇降路２０００，機械室２００１，三方枠２００２のいずれかに設置可能なため、ビル設備の制御・監視用に新たにスペースを確保する必要がなく、省スペース化，現場作業の短縮が図れる。また、ビル諸設備Ｂ１，Ｂ２，…，Ｂｍをエレベータ用ネットワーク２００３に接続可能としたことで、設備拡張の際、拡張したビル諸設備Ｂｘからネットワークの敷設を本管理装置０１００までではなく、各階床のネットワーク接点までと敷設距離を短縮できるため、設置コストを抑えることが可能な、昇降機システムが実現できる。
【００７８】
【発明の効果】
以上のように、昇降機の制御装置又は、昇降機付帯設備の遠隔監視診断装置等に、ビル外のビル群管理装置と接続する通信インタフェースを備えることで、設備の運用管理をビル群管理装置に集中することを可能とし、設備運用管理のための要員を削減できるため、設備運用管理にかかるコストを低下できる。
【００７９】
以上のように、昇降機設備の制御装置又は、昇降機付帯設備の遠隔監視診断装置等に、エレベータ以外のビル諸設備の監視制御手段を備え、ビル内の空調設備，照明設備，防災設備，防犯設備等との通信インタフェースを備えることで、ビル諸設備を監視制御可能な能力を潜在できる。これにより、例えば、配線や電話回線等を共通化するなど、昇降機設備の制御機能又は、昇降機付帯設備の遠隔監視診断機能と、ビルの監視制御機能の共通化を図ることによって、部品点数を削減でき、製造コストを低くすることができる。電話回線の共通化は、昇降機設備の監視制御とビル設備の監視制御をビル群管理センタ０１０２に統一できる利点もある。部品点数を削減することにより、装置を小型できるので省スペースが図れる。ビル建設時に、従来の昇降機設備の制御装置又は、昇降機付帯設備の遠隔監視診断装置と同様な場所に設置可能で、ビル管理装置を別に設置することがないので、設置スペース、および、現場作業が少なくなるために、建設期間を短縮し、ビル管理装置設置コストを低下出来る。さらに、上記インタフェースに接続されるビル内諸設備の接続状態を、接続時に自動的に判断し、それに対応したプログラムを実行する手段を備え、さらに、ビル内諸設備に対する監視制御等のサービス機能を、ビル管理センタ又は、ビル外部の支援装置から、昇降機の制御装置又は、昇降機付帯設備の遠隔監視診断装置等に転送する手段を備えることで、ビル諸設備の監視制御が必要になった場合や、ビル内設備管理者の要望に応じて、昇降機の制御装置又は、昇降機付帯設備の遠隔監視診断装置等にサービス機能を転送し、昇降機設備の制御装置又は、昇降機付帯設備の遠隔監視診断装置等に、ビル内諸設備を接続するだけで、上記サービス機能を実行でき、又、仕様変更の際のプログラム修正が自動的に行われるため、簡単かつ低コストでビル設備の改修が実現できる。
【００８０】
特に、ビルに既設されている昇降機施設を監視制御する目的で設置されている昇降機の制御装置、又は、監視診断装置に、ビル管理機能を新たに追加する場合には、ビル設備を接続するだけの作業となり、大幅に設置コストを削減することが出来る。接続の際に、エレベータ用ネットワークを利用することは、ネットワーク敷設が少ない距離で済み、より設置コストを削減させる。
【００８１】
また、ビル内ネットワークへ接続できるインタフェースを備え、エレベータおよびビル設備の監視制御又は、ビル設備情報配信等をインタネットで使用されるホームページの形式で、マンマシン装置からみることを可能とすることで、昇降機システム用の特別なマンマシン装置が無くとも、パソコンのような昇降機システムの情報処理装置で、エレベータ及びビル設備の状態の一元的な監視、及び制御が可能となり、保守費用を低下することができる。
【００８２】
また、公衆通信回線へ接続できるインタフェースを備え、エレベータおよびビル設備の監視制御又は、ビル設備情報配信等をインタネットで使用されるホームページの形式で、マンマシン装置からみることを可能とすることで、昇降機システム用の特別なマンマシン装置が無くとも、パソコンのような昇降機システムの情報処理装置で、エレベータ及びビル設備の状態の一元的な監視、及び制御が可能となり、保守費用を低下することができる。携帯電話等にメールで通知することが可能なので、異常があった場合に即座に通知することが可能となり、システムに対する安心感が増す。
【図面の簡単な説明】
【図１】昇降機設備の全体構成を示すブロック図である。
【図２】実施例装置におけるハードウェアブロック図である。
【図３】エレベータ監視サービスを示すブロック図である。
【図４】実施例装置における演算処理の制御ブロック図である。
【図５】エレベータ監視、及び制御プログラムにおける演算処理を示すＰＡＤ図である。
【図６】各設備の監視、及び制御のためにマンマシン装置へ表示するホームページの作成と転送に関する演算処理を示す制御ブロック図である。
【図７】ホームページ転送部における演算処理を示すＰＡＤ図である。
【図８】ホームページマンマシン部における演算処理を示すＰＡＤ図である。
【図９】ホームページ編集部における演算処理を示すＰＡＤ図である。
【図１０】ビル設備監視、及び制御プログラム部における演算処理を示すＰＡＤ図である。
【図１１】サービスプログラム配信サーバのサービスプログラム配信機能を示すブロック図である。
【図１２】プログラム管理実行部におけるサービスプログラム配信サーバから配信されてくるサービスプログラム部を管理する制御ブロック図である。
【図１３】設備接続時に、自動的に設備の接続を認識し、設備と対応するサービスプログラムを実行する機能の制御ブロック図である。
【図１４】サービスプログラムの内容構成例を示す図である。
【図１５】サービスプログラム配信サーバにおけるイベント処理のフローチャート図である。
【図１６】実施例装置におけるサービスプログラム実行処理を含むイベント処理ルーチンのフローチャート図である。
【図１７】昇降機設備の遠隔診断装置にビル設備の監視制御、又は、ビル内へのビル設備情報配信等の機能を持たせた全体構成を示すブロック図である。
【図１８】昇降機設備の遠隔診断装置にビル設備の監視制御、又は、ビル内へのビル設備情報配信等の機能を持たせた実施例装置における演算処理の制御ブロック図である。
【図１９】従来技術のブロック図である。
【図２０】昇降機設備の管理装置の設置場所およびエレベータ用ネットワークを示す図。
【図２１】管理装置がエレベータの制御機能を持つ場合における、管理装置の設置例である。
【図２２】管理装置がエレベータの制御機能を持たない場合における、管理装置の設置例である。
【符号の説明】
０１００…昇降機設備の管理装置、０１０１…ビル、０１０２…ビル群管理センタ、０１０３…ＰＨＳ、又は携帯電話、０１０４…広域ネットワーク、0105…情報系ＰＣ、０１０６…ダイヤルアップルータ、０１０７…情報系ネットワークインタフェース装置、０１０８…設備系ネットワークインタフェース装置、0109…ＰＨＳモデム、０１１０…広域ネットワークインタフェース装置、０１１１…ビル内情報系ネットワークインタフェース装置、０１１２…エレベータ通信インタフェース装置、０１１３…エレベータ付帯設備インタフェース装置、０１１４…ビル内諸設備インタフェース装置、０２００…中央処理装置、０２０１…記憶装置、０２０２…設備系インタフェース装置、０２０３…情報系インタフェース装置、０２０４…バス、０２０５…制御対象、０２０６…マンマシン装置、0207…サービスプログラム配信サーバ、０２０８…制御系ネットワーク、０２０９…情報系ネットワーク、０３００…インタフェース変換装置、０４０２…情報系通信部、０４０３…設備系通信部、０４０４…プログラム管理実行部、０４０５…エレベータ監視、及び制御部、０４０６…ビル内設備監視、及び制御部、0407…サービスプログラム部、０４０８…ホームページ編集及び転送部、０４０９…プラグアンドプレイ部、０６００…広域ネットワーク通信部、０６０１…ビル内外専用通信部、０６０２…ホームページ転送部、０６０３…ホームページマンマシン部、０６０４…ホームページ編集部、０６０５…ＨＴＭＬファイル群、0606…リアルタイム設備監視部、０６０６…リアルタイム設備制御部、１１００…二次記憶装置、１１０１…サービスプログラムデータ、１１０２…センタ署名、1103…サービスプログラム生成部、１１０４…サービスプログラム配信部、１１０５…サービスプログラム、１１０６…センタ署名、１１０７…サービスプログラムデータ、１２００…センタ署名認証部、１２０１…センタサーバの証明書、1202…サービスプログラム群、１３００…プログラム実行部、１３０１…設備のデータ、１７００…エレベータ監視盤通信インタフェース装置、１７０１…インタフェース変換装置、１９００…各種設備、１９０１…ローカルコントロール装置、１９０２…エレベータ設備入出力部、１９０２ａ…入出力部、１９０３…通信部、１９０４…センタ装置、１９０５…センタ側通信部、１９０６…データ管理部、１９０７…データ表示部、１９０８…エレベータ制御盤、１９０９…データ変換部、１９１０…データ制御部、２０００…昇降路、２００１…機械室、2002…三方枠、２００３…エレベータ用ネットワーク、２００４…エレベータ呼び釦、２００５…インジケータ、２１００…格納箱。
【図１】
0004406516.tif 000002
【図２】
0004406516.tif 000003
【図３】
0004406516.tif 000004
【図４】
0004406516.tif 000005
【図５】
0004406516.tif 000006
【図６】
0004406516.tif 000007
【図７】
0004406516.tif 000008
【図８】
0004406516.tif 000009
【図９】
0004406516.tif 000010
【図１０】
0004406516.tif 000011
【図１１】
0004406516.tif 000012
【図１２】
0004406516.tif 000013
【図１３】
0004406516.tif 000014
【図１４】
0004406516.tif 000015
【図１５】
0004406516.tif 000016
【図１６】
0004406516.tif 000017
【図１７】
0004406516.tif 000018
【図１８】
0004406516.tif 000019
【図１９】
0004406516.tif 000020
【図２０】
0004406516.tif 000021
【図２１】
0004406516.tif 000022
【図２２】
0004406516.tif 000023